(57)【特許請求の範囲】
【請求項１】
所定角度間隔毎に内方に向けて突出する突出磁極(8)を有する輪状ステータコア(1)と、前記輪状ステータコア(1)の第１、第２端面(1A,1B)に設けられた第１、第２輪状絶縁キャップ(20,30)と、前記第１、第２輪状絶縁キャップ(20,30)を介して前記各突出磁極(8)に巻回されたステータ巻線(2)と、前記ステータ巻線(2)の端線(2a)に接続されたリード線(7)と、よりなるレゾルバのリード線引出し構造において、
前記輪状ステータコア(1)の前記第１又は第２端面(1A,1B)に設けられ前記第１又は第２輪状絶縁キャップ(20又は30)に一体に設けられた端子ピン保持部材(5)と、前記端子ピン保持部材(5)の外縁(40a)に設けられ、前記端子ピン保持部材(5)の長さより短い長さで、かつ、前記外縁(40a)が弧状に形成された溝部(40)と、前記端子ピン保持部材(5)に設けられ前記ステータ巻線(2)の端線(2a)に接続され、Ｌ字型の圧着端子(4b)からなる複数の端子ピン(4a)と、前記端子ピン(4a)に接続されたリード線(7)と、を備え、
前記溝部(40)の外周面(40A)は、前記輪状ステータコア(1)のコア外周面(1a)と一致、又は、前記コア外周面(1a)の手前に位置し、前記リード線(7)は、前記溝部(40)から一方側(B)又は他方側(C)へ引出され、
前記端子ピン保持部材(5)上の複数の前記端子ピン(4a)はハの字状に配設され、
前記端子ピン保持部材(5)は、扇形をなしている構成としたことを特徴とするレゾルバのリード線引出し構造。
【発明の詳細な説明】
【技術分野】
【０００１】
本発明は、レゾルバのリード線引出し構造に関し、特に、端子ピン保持部材に設けられた溝部の外周面を輪状ステータコアのコア外周面に対して一致又は手前位置とし、リード線を前記溝部の一方側又は他方側に引出せるようにするための新規な改良に関する。
【背景技術】
【０００２】
従来、用いられていたこの種のレゾルバのリード線引出し構造としては、特許文献１〜３に示された構成を挙げることができる。
すなわち、図１４の(a),(b)に示される特許文献１の構成の場合、内方に向けて突出する複数の突出磁極８を有する輪状ステータコア１のコア外周面１ａの一部には、一対の突起２Ａ，２Ｂが一体に突出して設けられており、前記各突起２Ａ，２Ｂを介してリード線固定部５が設けられている。
【０００３】
また、他の従来構成として、図１５から図１７で示される構成を挙げることができる。
すなわち、図１５から図１７で示される特許文献２及び特許文献３の構成を挙げることができる。
すなわち、図１５に示される特許文献２の構成において、符号１で示されるものは、所定角度間隔毎に内方へ向けて突出する複数の突出磁極８を有する輪状ステータコアであり、前記各突出磁極８には、前記輪状ステータコア１の第１、第２端面１Ａ，１Ｂに設けられた第１、第２輪状絶縁キャップ２０,３０を介してステータ巻線２が巻回されている。
【０００４】
前記第１輪状絶縁キャップ２０から一体に延設された端子保持部５には、複数の端子ピン４ａが設けられ、前記各ステータ巻線２の端線２ａは前記各端子ピン４ａに巻回されている。
前記端子ピン保持部材４の各端子ピン４ａに接続されたリード線７はコネクタ６を介して外方に延出されている。
前記第２輪状巻線カバー１１の延設部１１ａは、前記輪状ステータコア１の一部を覆うと共に前記端子保持部５と一体に接続されている。
【０００５】
図１６及び図１７で示される従来構成は、特許文献３で示される構成であり、図１５と同一又は同等部分には同一符号を用いて説明する。図１６は正面図、図１７は図１６の断面Ａ−Ａの拡大図である。
図１６において、符号１で示されるものは、輪状ステータコアであり、この輪状ステータコア１の内側には、所定角度間隔で複数の突出磁極８が設けられており、前記各突出磁極８には、一体又は別体の第１、第２輪状絶縁キャップ２０,３０を介してステータ巻線２が巻回されている。
【０００６】
前記第１輪状絶縁キャップ２０には、これと一体で、かつ、半径方向に突出して外方に突出するように構成された端子保持部５が設けられている。
前記端子保持部５には、複数のパターン２２を有するプリント基板５Ａが設けられ、前記プリント基板５Ａの各パターン２２には、前記ステータ巻線２の端線２ａが半田又はヒュージング等で接続されている。
また、図１７で示されるものは、図１６の拡大断面Ａ−Ａ図であり、図１６と同一部分には同一符号を付し、その説明は省略するが、各ステータ巻線２の端線２ａは前記プリント基板５Ａに接続されている。
図１７で明らかなように、前記端子保持部５は、輪状ステータコア１の端部１Ｄから半径方向に突出し、各リード線７は、前記輪状ステータコア１の端部１Ｄの周面１Ｅよりも半径方向外側位置において軸方向に沿って延設されている。
【先行技術文献】
【特許文献】
【０００７】
【特許文献１】特開２００３−２９９２９３号公報
【特許文献２】米国特許第５，９２０，１３５号明細書
【特許文献３】特開２００２−２８１７１６号公報
【発明の概要】
【発明が解決しようとする課題】
【０００８】
従来のレゾルバのリード線引出し構造は、以上のように構成されていたため、次のような課題が存在していた。
すなわち、図１４の従来構成では、輪状ステータコアの外側にリード線固定部が突出し、相手方への取付けが容易でなかった。また、図１５に記載されているレゾルバのリード線固定構造は、輪状ステータコア１の周縁部からリード線７を介してコネクタ６が突出していたため、ユーザー側にて、輪状ステータコア１の外周に図示しない装置を装着し、リード線７を無理に軸方向に沿って引き出そうとする場合、端子保持部５の周縁での突出が障害となって、レゾルバを取付ける相手方の装置の加工又は変形等が必要となっていた。
また、図１６及び図１７の構成においては、端子保持部５及びプリント基板５Ａが突出しているため、相手方への装着が容易ではなかった。
【０００９】
本発明は、以上のような課題を解決するためになされたもので、特に、端子ピン保持部材に設けられた溝部の外周面を輪状ステータコアのコア外周面に対して一致又は手前位置とし、リード線を曲折溝部の一方側又は他方側に引出せるようにしたレゾルバのリード線引出し構造を提供することを目的とする。
【課題を解決するための手段】
【００１０】
本発明によるレゾルバのリード線引出し構造は、所定角度間隔毎に内方に向けて突出する突出磁極を有する輪状ステータコアと、前記輪状ステータコアの第１、第２端面に設けられた第１、第２輪状絶縁キャップと、前記第１、第２輪状絶縁キャップを介して前記各突出磁極に巻回されたステータ巻線と、前記ステータ巻線の端線に接続されたリード線と、よりなるレゾルバのリード線引出し構造において、前記輪状ステータコアの前記第１又は第２端面に設けられ前記第１又は第２輪状絶縁キャップに一体に設けられた端子ピン保持部材と、前記端子ピン保持部材の外縁に設けられ、前記端子ピン保持部材の長さより短い長さで、かつ、外縁が弧状に形成された溝部と、前記端子ピン保持部材に設けられ前記ステータ巻線の端線に接続され、Ｌ字型の圧着端子からなる複数の端子ピンと、前記端子ピンに接続されたリード線と、を備え、前記溝部の外周面は、前記輪状ステータコアのコア外周面と一致、又は、前記コア外周面の手前に位置し、前記リード線は、前記溝部から一方側又は他方側へ引出され、前記端子ピン保持部材上の複数の前記端子ピンはハの字状に配設され、前記端子ピン保持部材は、扇形をなしている構成である。
【発明の効果】
【００１１】
本発明によるレゾルバのリード線引出し構造は、以上のように構成されているため、次のような効果を得ることができる。
すなわち、所定角度間隔毎に内方に向けて突出する突出磁極を有する輪状ステータコアと、前記輪状ステータコアの第１、第２端面に設けられた第１、第２輪状絶縁キャップと、前記第１、第２輪状絶縁キャップを介して前記各突出磁極に巻回されたステータ巻線と、前記ステータ巻線の端線に接続されたリード線と、よりなるレゾルバのリード線引出し構造において、前記輪状ステータコアの前記第１又は第２端面に設けられ前記第１又は第２輪状絶縁キャップに一体に設けられた端子ピン保持部材と、前記端子ピン保持部材の外縁に設けられ、前記端子ピン保持部材の長さより短い長さで、かつ、外縁が弧状に形成された溝部と、前記端子ピン保持部材に設けられ前記ステータ巻線の端線に接続され、Ｌ字型の圧着端子からなる複数の端子ピンと、前記端子ピンに接続されたリード線と、を備え、前記溝部の外周面は、前記輪状ステータコアのコア外周面と一致、又は、前記コア外周面の手前に位置し、前記リード線は、前記溝部から一方側又は他方側へ引出され、輪状ステータコアのコア外周面から外側に突出するものは何もないため、輪状ステータコアを取付ける相手方の装置への装着が容易となる。また、リード線の引出しは、溝部から左右何れの方向へも可能で、装置への装着の利便性が向上する。
【００１２】
また、前記端子ピン保持部材上の複数の端子ピンはハの字状に配設されている構成よりなることにより、端子ピン保持部材により多くの端子ピンを取付けることができる。
【００１３】
また、前記端子ピン保持部材は、扇形をなしている構成としたことにより、端子ピン保持部材の外周面は輪状ステータコアのコア外周面から外側へ突出することを防ぐことができる。
【図面の簡単な説明】
【００１４】
【図１】本発明によるレゾルバのリード線引出し構造を示す正面図である。
【図２】図１の端子ピン保持部材を示す背面図である。
【図３】図２の端子ピン保持部材に蓋部材を設けた構成図である。
【図４】図１とは逆方向にリード線を引出した構成の正面図である。
【図５】図４の端子ピン保持部材を示す背面図である。
【図６】図５の端子ピン保持部材に蓋部材を設けた構成図である。
【図７】図２の端子ピン保持部材の拡大詳細図である。
【図８】図７の端子ピン保持部材に蓋部を設けた構成図である。
【図９】図７の要部の断面図である。
【図１０】図７の要部の拡大斜視図である。
【図１１】図１０の構成に蓋部を設けた場合の斜視図である。
【図１２】図４の輪状ステータコアにロータを設けたレゾルバを示す正面図である。
【図１３】図１の輪状ステータコアにロータを設けたレゾルバを示す正面図である。
【図１４】(a)は従来の輪状ステータコアの正面図、(b)は(a)の底面図である。
【図１５】従来のレゾルバの断面図である。
【図１６】他の従来のレゾルバの正面図である。
【図１７】図１５の拡大断面Ａ−Ａ図である。
【発明を実施するための形態】
【００１５】
本発明によるレゾルバのリード線引出し構造は、端子ピン保持部材に設けられた溝部の外周面を輪状ステータコアのコア外周面に対して一致又は手前位置とし、リード線を前記溝部の一方側又は他方側に引出させるようにすることである。
【実施例】
【００１６】
以下、図面と共に本発明によるレゾルバのリード線引出し構造の好適な実施の形態について説明する。
尚、従来例と同一又は同等部分については、同一符号を付して説明する。
また、本発明の説明について、一部を省略しているため、この省略部分については、従来構成の図１３から図１６の構成を本発明に援用して用いるものとする。
図１において符号１で示されるものは、前述の従来構成のように、内方に向けて所定角度間隔で突出する多数の突出磁極８を有すると共にロータ１Ｃが内設される輪状ステータコアであり、前記輪状ステータコア１の第１端面１Ａ及び第２端面１Ｂには、一体又は別体にて形成された第１輪状絶縁キャップ２０及び第２輪状絶縁キャップ３０が設けられている。
【００１７】
前記各突出磁極８には、前記各輪状絶縁キャップ２０,３０を介してステータ巻線２が巻回されている。
前記第１輪状絶縁キャップ２０（又は、第２輪状絶縁キャップ３０何れか一方）の一端２０ａには、半径方向Ａの外方へ向けて一体に突出する扇形をなす端子ピン保持部材５が設けられている。尚、図２のように、前記溝部４０の長さは端子ピン保持部材５の長さより短く形成されている。
【００１８】
前記端子ピン保持部材５の外側位置には、断面凹状をなすと共に外縁４０ａが弧状に形成された長手の溝部４０が一体に形成されている。
前記端子ピン保持部材５の背面５Ａは、図２で示されるように構成されており、前記端子ピン保持部材５の背面５Ａには、前記扇形のスペース構成を効率よく用いるために、その背面５Ａが第１部分５Ｄ及び第２部分５Ｅの二部分に分けられ、前記各部分５Ｄ，５Ｅには３個ずつの端子ピン４ａが設けられている。
【００１９】
前記各端子ピン４ａは、周知のＬ字形の圧着端子４ｂで構成され、図２でみて、前記各端子ピン４ａは、ハの字型となるように配設されている。
前記各端子ピン４ａはＬ字型であるため、図２で示される状態では、図９及び図１０で示されるように、垂直方向に立設しており、図９及び図１１で示される角カップ型をなす蓋部４１が各端子ピン４ａを覆うように構成されている。
【００２０】
次に、図４は、図１のリード線７が前記溝部４０の他方側Ｃから外部へ引出されている構成に対し、前記他方側Ｃの反対側である一方側Ｂから前記リード線７が外部へ引出されている。
図５は、前記端子ピン保持部材５及び溝部４０の背面５Ａを示し、図６は、図５の端子ピン保持部材５に対して、各端子ピン４ａの裏側、すなわち、圧着端子４ｂの部分を覆うための裏蓋５Ｂが設けられ、前記端子ピン保持部材５を貫通した各端子ピン４ａは、前述のように、蓋部４１で覆われている。
【００２１】
図７は、前述の図２の前記端子ピン保持部材５を拡大して詳細に示しており、前記端子ピン４ａは、全体がＬ字型の周知の圧着端子４ｂで構成され、前記各圧着端子４ｂにカシメ状に圧着して接続されたリード線７は、前記溝部４０の前記一方側Ｂから外方へ向けて引出されている。
【００２２】
図８は、図７の前記端子ピン保持部材５に対して裏蓋５Ｂを装着した状態を示している。
また、図９は、これまで平面的な状態でしか示していない前記端子ピン保持部材５及び蓋部４１の構成（図３、図６及び図８で示す）を横断面で示し、特に、前記溝部４０、蓋部４１及び端子ピン４ａの立体的構造が理解できるように開示されている。
特に、前記蓋部４１は、立設された複数の端子ピン４ａを覆うことができるように角型カップ状（図１１で示す）で構成されている。
【００２３】
図１０は、前記輪状ステータコア１の第１端面１Ａ上に前記端子ピン保持部材５が取付けられ、前記端子ピン４ａに接続された各リード線７が前記溝部４０を経て矢印Ｆの方向に引出される構成を示している。
また、図１１は、図１０の状態で前記蓋部４１を設けて各端子ピン４ａを前記蓋部４１で覆った状態を示している。
【００２４】
次に、本発明の特徴でもある前述の溝部４０の外周面４０Ａは、図１、図４及び図１２で示すように、前記輪状ステータコア１のコア外周面１ａに対して一致、又は、前記コア外周面１ａの手前に位置している。
前述の本発明による前記輪状ステータコア１に設けられた前記リード線７の引出し方向は、図１１の構成が一方側Ｂ（ＣＷ方向）、図１２の構成が他方側Ｃ（ＣＣＷ方向）であり、何れの方向にも引出し可能である。
【００２５】
尚、本発明によるレゾルバのリード線引出し構造の要旨とするところは、以下の通りである。
すなわち、所定角度間隔毎に内方に向けて突出する突出磁極８を有する輪状ステータコア１と、前記輪状ステータコア１の第１、第２端面１Ａ，１Ｂに設けられた第１、第２輪状絶縁キャップ２０，３０と、前記第１、第２輪状絶縁キャップ２０，３０を介して前記各突出磁極８に巻回されたステータ巻線２と、前記ステータ巻線２の端線２ａに接続されたリード線７と、よりなるレゾルバのリード線引出し構造において、前記輪状ステータコア１の前記第１又は第２端面１Ａ，１Ｂに設けられ前記第１又は第２輪状絶縁キャップ２０又は３０に一体に設けられた端子ピン保持部材５と、前記端子ピン保持部材５の外縁４０ａに設けられ、前記端子ピン保持部材５の長さより短い長さで、かつ、前記外縁４０ａが弧状に形成された溝部４０と、前記端子ピン保持部材５に設けられ前記ステータ巻線２の端線２ａに接続され、Ｌ字型の圧着端子４ｂからなる複数の端子ピン４ａと、前記端子ピン４ａに接続されたリード線７と、を備え、前記溝部４０の外周面４０Ａは、前記輪状ステータコア１のコア外周面１ａと一致、又は、前記コア外周面１ａの手前に位置し、前記リード線７は、前記溝部４０から一方側Ｂ又は他方側Ｃへ引出され、前記端子ピン保持部材５上の複数の前記端子ピン４ａはハの字状に配設され、前記端子ピン保持部材５は、扇形をなしている構成である。
【産業上の利用可能性】
【００２６】
本発明によるレゾルバのリード線引出し構造は、端子ピン保持部材の外側の溝部の外周面４０Ａが、輪状ステータコアのコア外周面と一致又はその手前であるため、前記外周面が輪状ステータコアのコア外周面よりも外側に突出することはなく、かつ、リード線も溝部内で案内され、レゾルバを装置に取付ける際に容易に取付けることができ、生産性の向上に寄与できる。
【符号の説明】
【００２７】
１    輪状ステータコア
１ａ    コア外周面
１Ａ    第１端面
１Ｂ    第２端面
２    ステータ巻線
２ａ    端線
４ａ    端子ピン
４ｂ    圧着端子
５    端子ピン保持部材
５Ａ    背面
５Ｂ    裏蓋
２０    第１輪状絶縁キャップ
３０    第２輪状絶縁キャップ
４０    溝部
４０ａ    外縁
４０Ａ    外周面
４１    蓋部
Ａ    径方向
Ｂ    一方側
Ｃ    他方側
【図１】
0006682717.tif 000002
【図２】
0006682717.tif 000003
【図３】
0006682717.tif 000004
【図４】
0006682717.tif 000005
【図５】
0006682717.tif 000006
【図６】
0006682717.tif 000007
【図７】
0006682717.tif 000008
【図８】
0006682717.tif 000009
【図９】
0006682717.tif 000010
【図１０】
0006682717.tif 000011
【図１１】
0006682717.tif 000012
【図１２】
0006682717.tif 000013
【図１３】
0006682717.tif 000014
【図１４】
0006682717.tif 000015
【図１５】
0006682717.tif 000016
【図１６】
0006682717.tif 000017
【図１７】
0006682717.tif 000018